(57)【要約】【課題】所望される日に所望される生育状態に到達させることが可能な草本植物の生育制御方法等を提供することを課題とする。【解決手段】草本植物の生育を制御する草本植物の生育制御方法であって、生育ステージごとに、下記式（１）で表される目標日平均気温で温度制御することにより、所望の日数で、所望の生育状態に制御することを特徴とする草本植物の生育制御方法により課題解決できた。2019176766.tif 000015【選択図】図２
2019176766.tif 000002
【特許請求の範囲】
【請求項１】
草本植物の生育を制御する草本植物の生育制御方法であって、
生育ステージごとに、下記式（１）で表される目標日平均気温で温度制御することにより、所望の日数で、所望の生育状態に制御することを特徴とする草本植物の生育制御方法。
2019176766.tif 000014
但し、
Ｔｓ：所望する生育ステージにＹ日で達するための目標日平均気温
ａ：１を各生育ステージの有効積算温度で除算した値
ｂ：減算記号に各生育ステージの有効下限温度を有効積算温度で除算した値
Ｚ：各生育ステージの開始時を０とし各生育ステージ到達時を１として０超１以下の数字を生育レベルとして表した所望する生育指数（Ｚ−（ａ×Ｔｍ＋ｂ）×ｎ）は、０超〜１以下の内のいずれかの数値であること）
ｎ：各生育ステージにおける制御開始日の前日までの生育日数
Ｔｍ：各生育ステージにおけるｎ日までの期間平均気温。但し、ｎ＝０のときは０を代入する。
Ｙ：各生育ステージの生育期間の所望する日数
【請求項２】
草本植物の生育ステージごとの有効積算温度と有効下限温度、日々の気温情報、及び、育苗開始日を含む生育ステージ間の変化日情報を取得し記憶する生育情報記憶ステップと、
制御開始日情報、前記制御開始日から所望する生育状態に該当する生育ステージまでの、各生育ステージにおける所望する生育指数、及び、各生育ステージの所望生育期間を取得する所望情報取得ステップと、
前記生育情報記憶ステップで記憶された情報と前記所望情報取得ステップで取得した情報に基づいて、請求項１に記載の前記式（１）により各生育ステージの目標日平均気温を算出する算出ステップと、
生育ステージ順に前記所望生育期間を算出された前記目標日平均気温で気温制御をする気温制御ステップと、を備えることを特徴とする請求項１に記載の草本植物の生育制御方法。
【請求項３】
前記草本植物が、量的短日植物、量的長日植物又は中性植物であることを特徴とする請求項１又は２に記載の草本植物の生育制御方法。
【請求項４】
草本植物の生育を制御する草本植物の生育制御システムであって、
草本植物の生育ステージごとの有効積算温度と有効下限温度、日々の気温情報、及び、育苗開始日を含む生育ステージ間の変化日情報を取得し記憶する記憶手段と、
制御開始日情報、前記制御開始日から所望する生育状態に該当する生育ステージまでの、各生育ステージにおける所望する生育指数、及び、各生育ステージの所望生育期間を取得する取得手段と、
前記記憶手段に記憶された情報と前記取得手段により取得した情報に基づいて、請求項１に記載の前記式（１）により各生育ステージの目標日平均気温を算出する算出手段と、
生育ステージ順に前記所望生育期間を算出された前記目標日平均気温で気温制御をする気温制御手段と、を備えることを特徴とする草本植物の生育制御システム。
【請求項５】
コンピュータに、請求項１又は２に記載の草本植物の生育制御方法を実行させることを特徴とする草本植物の生育制御プログラム。
【請求項６】
コンピュータに、
草本植物の生育ステージごとの有効積算温度と有効下限温度を手動入力により取得し記憶する第一生育情報記憶ステップと、
育苗開始からの、気温測定手段からの日々の気温情報、及び、手動入力による育苗開始日を含む生育ステージ間の変化日情報を取得し記憶する第二生育情報記憶ステップと、
制御開始日情報、前記制御開始日から所望する生育状態に該当する生育ステージまでの、各生育ステージにおける所望する生育指数、及び、各生育ステージの所望生育期間を手動入力により取得する所望情報取得ステップと、
１を各生育ステージの有効積算温度で除算した値を算出し、減算記号に当該生育ステージの有効下限温度を有効積算温度で除算した値を算出し、育苗開始日を含む各変化日情報及び制御開始日情報から各生育ステージにおける制御開始日の前日までの生育日数を算出し、各生育ステージにおける制御開始日の前日までの期間平均気温を算出して、請求項１に記載の前記式（１）により各生育ステージの目標日平均気温を算出する算出ステップと、
生育ステージ順に前記所望生育期間を算出された前記目標日平均気温とするように気温調整手段の気温制御をする気温制御ステップと、を実行させるための生育制御プログラム。
【請求項７】
請求項５又は６に記載のプログラムを記憶したことを特徴とするコンピュータ読み取り可能な記憶媒体。
【発明の詳細な説明】
【技術分野】
【０００１】
本発明は、育苗開始、抽苔、発蕾、開花という各段階の生育ステージや育苗開始から開花までの全期間に亘る生育ステージを生育段階とする草本植物を、所望する日に所望する生育状態に生育させる草本植物の生育制御方法、生育制御システム、プログラム及び記憶媒体に関する。
【背景技術】
【０００２】
特許文献１には、作物の温度積算値を基準とした生育システムの構築／圃場の逆転層存在の有無を、把握し、例えば、積算値をもちいて生育ステージと設定温度を決定し、設定温度と、圃場の現在温度を比較する制御部の指令で、ファン、及び／又は、温風機の制御、或いはスプリンクラーの制御を、選択的に稼働可能とする構成とした茶樹、又は果樹の生育育成と生育保護の装置に関する技術が開示されている。
【０００３】
特許文献２には、生長曲線生成部は、通常の植生時系列データから、植生指標／積算温度の植生生長曲線に変換し、キータイム抽出部は、積算温度に対してキータイムを抽出し、高次元分析モデル生成部は、このキータイムを基づき新たな植物生長状況を表す高次元分析モデルを生成する。このモデルを用いて、災害判断部、トレンド予測部は、それぞれ災害判断、生長トレンド予測などを行い、植物の常時観測、早期収量予測等の農業管理を実現する植生生長分析システムが開示されている。
【０００４】
特許文献３には、温度推移を取り入れ、温度と生理的生育加速度との間の関数を生育時間で２回積分あるいは積算して生理的生育位置を算出したり、これと過去の生育データを基に、未来の温度推移予測から特定生育位置になる生育時間の予測や、特定の生育位置と特定の生育時間の条件を与えことにより、必要とされる温度推移を求めたりして、植物の生育予測や生育管理をする方法が開示されている。
【０００５】
非特許文献１には、ユリ、小ギク、ナデシコの蕾段階の切り花を収穫し、特定日に開花させるように開花速度と処理温度の関係式から特定日までの日数によって得た処理温度を設定して蕾の成長速度を可変させる技術が開示されている。
【先行技術文献】
【特許文献】
【０００６】
【特許文献１】特開２０１６−１６８０２４号公報
【特許文献２】特開２０１５−１８８３３３号公報
【特許文献３】特開平８−２２８６０３号公報
【非特許文献】
【０００７】
【非特許文献１】「収穫後開花調整による特定日開花技術」２０１３年３月２２日第１版、地方独立行政法人大阪府立環境農林水産総合研究所発行
【発明の概要】
【発明が解決しようとする課題】
【０００８】
特許文献１〜３の技術は、植物の凍霜害回避による生育育成、早期収量予測等の農業管理、生育予測に関する技術であるが、いずれの技術も、例えば温室ごとに植物の開花日を１週間ごとにずらして何月何日を決めて、その１週間ごとに決めたそれぞれの何月何日の当日に合わせて温室ごと順に植物を開花させることや、複数の温室の植物の開花日を何月何日に決めてその決めた当日前後にいっせいに開花させること等の、植物を所望する日前後数日以内に所望する生育状態に生育させるということはできないという問題があった。
【０００９】
非特許文献１の技術は、蕾がついた切り花を収穫して、その蕾を成長させる技術であるが植物を生育させる技術ではない。すなわち、植物の生育過程には、植物の種類によって異なるが、例えば育苗開始、抽苔、発蕾、開花という各段階の生育ステージがあるが、その植物を、所望する日前後数日以内に所望する生育ステージの所望する生育状態に生育させるということはできないという問題があった。
【００１０】
本発明はこうした問題に鑑み創案されたもので、草本植物の生育ステージである、例えば育苗開始、抽苔、発蕾、開花という各生育ステージや、育苗開始から開花までの全期間に亘る生育ステージにおいて、草本植物を所望する日前後数日以内に所望する生育状態に到達させることが可能な草本植物の生育制御方法、生育制御システム、プログラム、記憶媒体を提供することを課題とする。
【課題を解決するための手段】
【００１１】
本発明における生育ステージとは、草本植物が生育するに従って草本植物が、例えば発芽、抽苔、発蕾、開花等と変化する変化点間を生育ステージとして定義しており、その生育ステージは草本植物の種類によって異なる。本発明で取り上げた草本植物のトルコギキョウの場合は、図３（ａ）に示すように、育苗開始３から抽苔４までは第I期７の生育ステージ、抽苔４から発蕾５までは第II期８の生育ステージ、発蕾５から開花６までは第III期９の生育ステージ、育苗開始３から開花６までは全期１０の生育ステージが該当する。また、本発明における生育ステージ変化日とは、前記トルコギキョウを例として育苗開始日、茎が伸び始める抽苔日、蕾が出始める発蕾日、花を収穫するレベルとなる開花日が該当するが、本発明の変化日はこれに限定されない。
【００１２】
また、例えばトマトの場合には、図３（ｂ）に示すように、播種と育苗開始の時期はほぼ同じであり果実が収穫できるので、播種・育苗開始又は腋芽発生３１から発蕾３２までは第I期７の生育ステージ、発蕾３２から開花３３までは第II期８の生育ステージ、開花３３から果実収穫３４までは第III期９の生育ステージが該当する。
【００１３】
本発明における有効下限温度とは、草本植物毎に生育ステージ毎に一定の温度であって草本植物の生育が停滞する温度の上限を意味し、有効積算温度とは草本植物毎に生育ステージ毎に一定の温度であって各生育ステージにおける有効下限温度超の日の気温から有効下限温度を減算した値の温度をその生育ステージの全日分を加算させた温度を意味する。前記有効下限温度や有効積算温度は、事前に草本植物を播種から開花まで生育させて、育苗開始、抽苔、発蕾、開花という生育における変化日、経過日数、気温を測定して求める。
【００１４】
本発明における日平均気温とは、一日で変化する気温の平均値を意味し、期間平均気温とは選択した期間の日々の日平均気温の平均値を意味する。図５に示すように、日平均気温は１つの期間内で日によって異なるが、期間平均気温（図示なし）は１つの期間内で１つである。
【００１５】
また、生育指数とは、同一生育ステージにおける生育状態を数値で表すものであり、例えば第I期での経過日数がｎ日の場合の生育指数は、同一生育ステージにおける有効積算温度で、当該生育ステージ開始日からｎ日までの期間平均気温から有効下限温度を減算させた値にｎ日を乗算した値を除算した値を意味する。生育指数は生育ステージ開始時が最小値の０で生育ステージ到達時が最大値の１で表される数値であり、例えば現在生育状態は生育ステージ第I期で生育指数０．８と表すことができ、目標生育レベルを生育ステージ第III期で生育指数０．５と表すことができる。
【００１６】
請求項１に記載の草本植物の生育制御方法は、草本植物の生育を制御する草本植物の生育制御方法であって、生育ステージごとに、下記式（１）で表される目標日平均気温で温度制御することにより、所望の日数で、所望の生育状態に制御することを特徴とする。
2019176766.tif 000003
但し、
Ｔｓ：所望する生育ステージにＹ日で達するための目標日平均気温
ａ：１を各生育ステージの有効積算温度で除算した値
ｂ：減算記号に各生育ステージの有効下限温度を有効積算温度で除算した値
Ｚ：各生育ステージの開始時を０とし各生育ステージ到達時を１として０超１以下の数字を生育レベルとして表した所望する生育指数（Ｚ−（ａ×Ｔｍ＋ｂ）×ｎ）は、０超〜１以下の内のいずれかの数値であること）
ｎ：各生育ステージにおける制御開始日の前日までの生育日数
Ｔｍ：各生育ステージにおけるｎ日までの期間平均気温。但し、ｎ＝０のときは０を代入する。
Ｙ：各生育ステージの生育期間の所望する日数
【００１７】
請求項２に記載の草本植物の生育制御方法は、請求項１において、草本植物の生育ステージごとの有効積算温度と有効下限温度、日々の気温情報、及び、育苗開始日を含む生育ステージ間の変化日情報を取得し記憶する生育情報記憶ステップと、制御開始日情報、前記制御開始日から所望する生育状態に該当する生育ステージまでの、各生育ステージにおける所望する生育指数、及び、各生育ステージの所望生育期間を取得する所望情報取得ステップと、前記生育情報記憶ステップで記憶された情報と前記所望情報取得ステップで取得した情報に基づいて、請求項１に記載の前記式（１）により各生育ステージの目標日平均気温を算出する算出ステップと、生育ステージ順に前記所望生育期間を算出された前記目標日平均気温で気温制御をする気温制御ステップと、を備えることを特徴とする。
【００１８】
請求項３に記載の草本植物の生育制御方法は、請求項１又は２において、前記草本植物が、量的短日植物、量的長日植物又は中性植物であることを特徴とする。
【００１９】
請求項４に記載の草本植物の生育制御システムは、草本植物の生育を制御する草本植物の生育制御システムであって、草本植物の生育ステージごとの有効積算温度と有効下限温度、日々の気温情報、及び、育苗開始日を含む生育ステージ間の変化日情報を取得し記憶する記憶手段と、制御開始日情報、前記制御開始日から所望する生育状態に該当する生育ステージまでの、各生育ステージにおける所望する生育指数、及び、各生育ステージの所望生育期間を取得する取得手段と、前記記憶手段に記憶された情報と前記取得手段により取得した情報に基づいて、請求項１に記載の前記式（１）により各生育ステージの目標日平均気温を算出する算出手段と、生育ステージ順に前記所望生育期間を算出された前記目標日平均気温で気温制御をする気温制御手段と、を備えることを特徴とする。
【００２０】
請求項５に記載の草本植物の生育制御プログラムは、コンピュータに、請求項１又は２に記載の草本植物の生育制御方法を実行させることを特徴とする。
【００２１】
請求項６に記載の生育制御プログラムは、コンピュータに、草本植物の生育ステージごとの有効積算温度と有効下限温度を手動入力により取得し記憶する第一生育情報記憶ステップと、育苗開始からの、気温測定手段からの日々の気温情報、及び、手動入力による育苗開始日を含む生育ステージ間の変化日情報を取得し記憶する第二生育情報記憶ステップと、制御開始日情報、前記制御開始日から所望する生育状態に該当する生育ステージまでの、各生育ステージにおける所望する生育指数、及び、各生育ステージの所望生育期間を手動入力により取得する所望情報取得ステップと、１を各生育ステージの有効積算温度で除算した値を算出し、減算記号に当該生育ステージの有効下限温度を有効積算温度で除算した値を算出し、育苗開始日を含む各変化日情報及び制御開始日情報から各生育ステージにおける制御開始日の前日までの生育日数を算出し、各生育ステージにおける制御開始日の前日までの期間平均気温を算出して、請求項１に記載の前記式（１）により各生育ステージの目標日平均気温を算出する算出ステップと、生育ステージ順に前記所望生育期間を算出された前記目標日平均気温とするように気温調整手段の気温制御をする気温制御ステップと、を実行させる。
【００２２】
請求項７に記載のコンピュータ読み取り可能な記憶媒体は、請求項５又は６に記載のプログラムを記憶したことを特徴とする。
【発明の効果】
【００２３】
本発明は、草本植物の生育ステージである育苗開始から抽苔、抽苔から発蕾、発蕾から開花、あるいは育苗開始から開花という各生育ステージにおける現在の生育レベルを、所望する日前後数日以内に所望する生育レベルに生育させることができるという顕著な効果を奏する。例えば、現在の生育ステップが抽苔から発蕾の第II期で生育指数が０．５の草本植物を、所望する日前後数日以内に、所望する発蕾から開花の第III期の生育ステージの所望する生育指数の０．８に生育させることができる。
【００２４】
育苗開始から抽苔の第I期、抽苔から発蕾の第II期、発蕾から開花の第III期の３つの生育ステージ毎にそれぞれ異なる目標日平均気温で気温制御する場合は生育ステージに合わせた制御ができるので、草本植物の生育を、所望した日の数日以内に所望した生育状態にすることができる。また、育苗開始から開花の全期で同一の目標日平均気温で気温制御する場合は、草本植物の生育を所望する日近傍以内に所望した生育状態にすることができる。
【００２５】
ここで本発明における数日以内は２〜３日以内を意味し、近傍以内は５〜６日以内を意味する。
【図面の簡単な説明】
【００２６】
【図１】本発明の草本植物の生育制御システムの説明図である。
【図２】本発明の草本植物の生育制御方法のフロー図である。
【図３】生育ステージの説明図で、（ａ）はトルコゴキョウの場合を示し、（ｂ）はトマトの場合を示す図である。
【図４】草本植物の生育実験の小型温室の外観写真である。
【図５】日平均気温、有効下限温度、期間の説明図である。
【図６】定植日が夏季、冬季、雨季で生育ステージが第I期の場合の積算温度と期間の関係を示す図である。
【図７】定植日が夏季、冬季、雨季で生育ステージが第II期の場合の積算温度と期間の関係を示す図である。
【図８】定植日が夏季、冬季、雨季で生育ステージが第III期の場合の積算温度と期間の関係を示す図である。
【図９】定植日が夏季、冬季、雨季で生育ステージが全期の場合の積算温度と期間の関係を示す図である。
【発明を実施するための形態】
【００２７】
本発明に適する草本植物は、生育で温度に強い影響を受ける品目が適し、量的短日植物、量的長日植物、中性植物が該当する。例えばトルコギキョウ、トマト、キュウリ、シクラメン、バラ、宿根カスミソウ、スターチス・シヌアータ等が該当する。
【００２８】
図４に示すような草本植物２０の小型温室２５を製作して生育実験を実施した。専用の小型温室２５（商品名：自然光型ファイトトロン）を備え、トルコギキョウの品種のレイナホワイトを対象に４種類の温度条件で栽培した。栽培温度が、明期／暗期の温度で３２℃／２６℃の高温環境５１、２８℃／２２℃の中温環境５２、２４℃／１８℃の低温環境５３、夏季は自然の気温のなりゆきで冬季は１５℃に加温のなりゆき環境５４の４種類とした。また、育苗温度はいずれの環境とも２７．５℃で一定とし、育苗期の明期／暗期の時間割合は２０時間／４時間とし、定植後の日長を２０時間とした。そして、定植日を夏季、冬季、梅雨期の３種類で実施した。
【００２９】
また、生育ステージを、図３に示すように、草本植物の育苗開始３から抽苔４までの第I期７、抽苔４から発蕾５までの第II期８、発蕾５から開花６までの第III期９、及び、育苗開始３から開花６までの全期１０に分けた。
【００３０】
そして、定植日として夏季、冬季、梅雨の３時期で行い、気温を測定し、育苗開始日、抽苔日、発蕾日、開花日という変化日を取得して、生育ステージ別に期間、日平均気温及び期間平均気温を算出した。その結果を定植日が夏季の場合を表１に、定植日が冬季の場合を表２に、定植日が梅雨期の場合を表３に示す。
【００３１】
2019176766.tif 000004
【００３２】
2019176766.tif 000005
【００３３】
2019176766.tif 000006
【００３４】
表１〜表３に示した第I期における積算温度（期間平均気温×期間）と期間との関係を図６にグラフ化すると、積算温度Ａと期間Ｂの関係は、下記近似式（一次方程式）が成り立つ。
積算温度Ａ＝２２．４２３Ｂ＋２００．５７
【００３５】
表１〜表３に示した第II期における積算温度と期間との関係を図７にグラフ化すると、積算温度Ａと期間Ｂの関係は、下記近似式（一次方程式）が成り立つ。
積算温度Ａ＝１３．９３３Ｂ＋３６０．１２
【００３６】
表１〜表３に示した第III期における積算温度と期間との関係を図８にグラフ化すると、積算温度Ａと期間Ｂの関係は、下記近似式（一次方程式）が成り立つ。
積算温度Ａ＝１１．６１９Ｂ＋４３７．０５
【００３７】
表１〜表３に示した全期における積算温度と期間との関係を図９にグラフ化すると、積算温度Ａと期間Ｂの関係は、下記近似式（一次方程式）が成り立つ。
積算温度Ａ＝１２．４３Ｂ＋１４９８
【００３８】
また、図５から、日平均気温、期間、有効下限温度４０、積算温度、有効積算温度の関係は、期間中の日平均気温の平均が期間平均気温であり、積算温度は期間平均気温と期間との乗算の値であり、有効積算温度は積算温度から有効下限温度４０と期間を乗算した値を減算した値である。これから、積算温度は、有効積算温度に、有効下限温度４０に期間を乗算した値を加算して求められることが導かれる。これから、有効下限温度４０は期間の係数で一定値であり、有効積算温度も一定値であることが示唆される。そこで、図６〜図９のいずれにおいても積算温度と期間の関係は一次方程式で表されることから、縦軸との交点の値が有効積算温度に該当し、期間を変数としたときの係数が有効下限温度４０に該当する。その結果を表４に表す。
【００３９】
2019176766.tif 000007
表４から、有効積算温度や有効下限温度は一定数である。
【００４０】
また、生育ステージ毎に積算温度と期間とは一次方程式が成立することから、発明者は所望する日に所望する生育レベルを実現させる生育制御を想到した。
【００４１】
まず、生育レベルを制御するには生育レベルを数値化する必要があり、その数値化として、生育ステージ毎に当該生育ステージの生育開始時の指数を０とし当該生育ステージの生育終了時の指数を１とする生育指数を設けることにした。すなわち、本発明における生育指数は、第I期７、第II期８、第III期９及び全期１０ごとに、生育ステージと生育指数との関係を表した表５に示すように、それぞれの生育ステージで開始時を０とし生育ステージの到達時を１とし、０〜１の間は０．１や０．５等の小数点のある数値で表す。
【００４２】
2019176766.tif 000008
表５から、例えば発蕾の第II期において発蕾から開花までの生育レベルを５０％とすれば生育指数は０．５となる。この生育指数の設定によって、現在の生育レベルの把握と所望する日の所望する生育レベルの把握が数値に置き換えてできる。
【００４３】
次に、前記生育指数を、積算温度と期間との一次方程式との関連づけを行った。そのために、一日当りの発育速度を定義し、この発育速度に生育日数を乗算した値を生育指数とした。まず、一日当りの発育速度を、日平均気温から有効下限温度を減算した値を、該当する生育ステージの有効積算温度で除算した値で求める。そして前記一日当り発育速度に日数を乗算した値を生育指数とする。これを下記式（２）及び（３）で表す。
【００４４】
2019176766.tif 000009
【００４５】
2019176766.tif 000010
【００４６】
次に、次の生育ステージまでに必要な生育指数は、すなわち同一の生育ステージにおいて所望の生育指数Ｚに到達させるために必要な生育指数は、下記式（４）で表される。前記Ｚは、０超〜１以下の整数又は小数点以下の数値である。
【００４７】
2019176766.tif 000011
【００４８】
次に、生育ステージが同一の場合で当該生育ステージ開始日のｎ日後から当該生育ステージの所望の生育指数に所望の日数Ｙ日で実現させるには、目標日平均気温をＴｓとすると、
実現させるに必要な生育指数は、下記式（５）で求められる。
【００４９】
2019176766.tif 000012
【００５０】
したがって、前記式（４）と（５）から、下記式（１）を導くことができる。
2019176766.tif 000013
但し、
Ｔｓ：所望する生育ステージにＹ日で達するための目標日平均気温
ａ：１を各生育ステージの有効積算温度で除算した値
ｂ：減算記号に各生育ステージの有効下限温度を有効積算温度で除算した値
Ｚ：各生育ステージの開始時を０とし各生育ステージ到達時を１として０超１以下の数字を生育レベルとして表した所望する生育指数（Ｚ−（ａ×Ｔｍ＋ｂ）×ｎ）は、０超〜１以下の内のいずれかの数値であること）
ｎ：各生育ステージにおける制御開始日の前日までの生育日数
Ｔｍ：各生育ステージにおけるｎ日までの期間平均気温。但し、ｎ＝０のときは０を代入する。
Ｙ：各生育ステージの生育期間の所望する日数
【００５１】
したがって、本発明は、前記式（１）を用いて草本植物２０の所望の生育ステージの所望生育指数の生育状態を所望する日の数日以内に実現させる草本植物草本植物生育制御方法２、生育制御システム１、プログラム、記憶媒体である。
【００５２】
本発明である草本植物生育制御システム１は、図１に示すように、情報処理手段２２、記憶手段２１、温度測定手段２４、温室２５、気温制御手段２６、ネットワーク２３、草本植物２０を備える。前記情報処理手段２２はパソコン等のコンピュ.ータであり、ネットワーク２３等を介して記憶手段２１、温度測定手段２４、気温制御手段２６を制御している。前記記憶手段２１はハードディスク等の内部記憶装置や、オブジェクトストレージ、クラウドストレージ、サーバコンピュータ、光学ディスク、ハードディスク等の磁気ディスク、ＵＳＢフラッシュメモリ、磁気テープ等の外部記憶装置が該当し、いずれの記憶装置も情報処理手段２２と通信する。
【００５３】
本発明の草本植物の生育制御システム１は、草本植物２０の生育を制御する草本植物の生育制御システム１であって、草本植物２０の生育ステージごとの有効積算温度と有効下限温度、日々の気温情報、及び、育苗開始日を含む生育ステージ間の変化日情報を取得し記憶する記憶手段と、制御開始日情報、前記制御開始日から所望する生育状態に該当する生育ステージまでの、各生育ステージにおける所望する生育指数、及び、各生育ステージの所望生育期間を取得する取得手段と、前記記憶手段に記憶された情報と前記取得手段により取得した情報に基づいて、段落［００５０］に記載の前記式（１）により各生育ステージの目標日平均気温を算出する算出手段と、生育ステージ順に前記所望生育期間を算出された前記目標日平均気温で気温制御をする気温制御手段と、を備える。
【００５４】
草本植物２０の生育ステージごとの有効積算温度と有効下限温度は、温度制御の対象とする草本植物２０の育苗開始より事前に取得して記憶手段２１に記憶させる。そして、温室２５内での温度制御の対象の草本植物２０の生育に従って、温度測定手段２４により測定した日々の気温情報、育苗開始からの経過日数情報、及び、生育ステージ間の変化日情報を取得して記憶手段２１に記憶させる。
【００５５】
そして、現在の制御開始日から所望する生育状態に該当する生育ステージまでの、各生育ステージにおける所望する生育指数と、各生育ステージの所望生育期間を前記取得手段により取得すると、前記算出手段は前記式（１）により目標日平均気温を算出する。そして気温制御手段２６により生育ステージ順に前記所望生育期間を前記算出された目標日平均気温とする気温制御をする。
【００５６】
次に、草本植物の生育制御方法２は、草本植物の生育を制御する草本植物の生育制御方法であって、生育ステージごとに、段落［００５０］に記載の前記式（１）で表される目標日平均気温で温度制御することにより、所望の日数で、所望の生育状態に制御する。
【００５７】
さらに、草本植物の生育制御方法２は、草本植物２０の生育ステージごとの有効積算温度と有効下限温度、日々の気温情報、及び、育苗開始日を含む生育ステージ間の変化日情報を取得し記憶する生育情報記憶ステップ１１と、制御開始日情報、前記制御開始日から所望する生育状態に該当する生育ステージまでの、各生育ステージにおける所望する生育指数、及び、各生育ステージの所望生育期間を取得する所望情報取得ステップ１２と、前記生育情報記憶ステップ１１で記憶された情報と前記所望情報取得ステップ１２で取得した情報に基づいて、段落［００５０］に記載の前記式（１）により各生育ステージの目標日平均気温を算出する算出ステップ１３と、生育ステージ順に前記所望生育期間を算出された前記目標日平均気温で気温制御をする気温制御ステップ１４と、を備える。
【００５８】
草本植物２０の生育ステージは、例えばトルコギキョウの場合は、育苗開始から抽苔までは第I期７の生育ステージ、抽苔から発蕾までは第II期８の生育ステージ、発蕾から開花までは第III期９の生育ステージ、あるいは、育苗開始から開花までは全期１０の生育ステージとする。第I期７、第II期８、第III期９の３つに分けて目標日平均気温を求めて気温制御すると所望の日の数日以内に所望の生育状態を実現でき、全期１０で目標日平均気温を求めて気温制御すると所望の日近傍以内に所望の生育状態を実現できる。
【００５９】
まず、生育情報記憶ステップ１１である。草本植物の生育ステージごとの有効積算温度と有効下限温度は、温度制御する前にあらかじめ同じ草本植物を育苗開始から開花までを生育させて、生育ステージごとの積算温度と期間との関係式から生育ステージごとの有効積算温度と有効下限温度を算出しておく。そして、前記生育ステージごとの有効積算温度と有効下限温度を手動入力し記憶する。
【００６０】
次に、草本植物の種を播種して湿潤低温処理期間を経て温室内に育苗してから、気温測定手段からの日々の温室内の気温情報を取得して記憶し、育苗開始日、抽苔日、発蕾日及び開花日のそれぞれの変化日を観察により取得してそれらの変化日情報を手動入力により記憶する。
【００６１】
次に、所望情報取得ステップ１２である。現在の制御開始日から何日後に草本植物をいかなる生育レベルにしたいかという所望を決める。そして、制御開始日、前記制御開始日から所望する生育状態に該当する生育ステージまでの、各生育ステージにおける所望する生育指数（前記式（１）におけるＺ）と、各生育ステージの所望生育期間を手動入力する。例えば、現在の制御開始日が第I期でｎ日経過した場合で、所望が第III期で開花状態に生育させたい場合は、第I期の残りの所望する生育日数Ｙと生育指数Ｚの１を手動入力し、第II期の所望する生育日数Ｙと生育指数Ｚの１を手動入力し、第III期の所望する生育日数Ｙと所望する生育指数Ｚの１を手動入力する。ここで第III期の所望する生育レベルを８０％とする場合は生育指数Ｚとして０．８を手動入力する。また、（Ｚ−（ａ×Ｔｍ＋ｂ）×ｎ）は、０超〜１以下の内のいずれかの数値にあることが要件である。
【００６２】
次に、算出ステップ１３である。前記式（１）でこれからの生育ステージ毎の目標日平均気温を求める。前記式（１）に算入するデータとして、１を各生育ステージの有効積算温度で除算した値であるａを生育ステージ毎に算出し、減算記号に当該生育ステージの有効下限温度を有効積算温度で除算した値であるｂを生育ステージ毎に算出する。そして、各生育ステージ開始日から同一生育ステージにおける制御開始日の前日までの差の生育日数をｎ日として算出し、各生育ステージにおけるｎ日までの積算気温をｎ日で除算した値を期間平均気温として算出する。
【００６３】
そして、生育ステージ毎に前記式（１）により目標日平均気温を算出する。前記算出した目標日平均気温は、これからの各生育ステージで所望した生育期間の目標日平均気温とすることによって、現在の制御開始日から何日後に草本植物をいかなる生育レベルにしたいかという所望を実現させる重要な要件である。
【００６４】
次に、気温制御ステップ１４である。温室内の草本植物の生育を制御するために、第I期７、第II期８、第III期９という生育ステージ順に前記所望生育期間を算出された前記目標日平均気温で気温調整手段２６の気温制御をする。これにより現在の制御開始日から何日後に草本植物をいかなる生育レベルにしたいかという所望を実現させることができる。
【００６５】
なお、算出された目標日平均気温Ｔｓは、下限温度が有効下限温度超であり、かつ、上限温度が高温により生育抑制にならない温度以下とするように所望生育期間を設定しなければならない。
【００６６】
次に、本発明の使用についてモデル例で説明をする。例えば、選択した草本植物の育苗開始から抽苔までの第I期７の有効下限温度が２０℃で有効積算温度が２００℃であり、抽苔から発蕾までの第II期８の有効下限温度が１５℃で有効積算温度が３００℃であり、発蕾から開花までの第III期９の有効下限温度が１０℃で有効積算温度が４００℃である場合に、現在が生育ステージ第I期の５日目とカウントされ、前記第I期の５日目までの期間平均気温Ｔｍが２５℃と算出され、所望する生育日数は、第I期７が３０日、第II期８が２０日、第III期９が２０日と手動入力され、所望する生育レベルを第III期９における生育指数０．４と手動入力する場合には、各生育ステージで制御する目標日平均気温Ｔｓは以下のように算出される。なお、草本植物の高温により生育抑制にならない温度を３２℃とする。
【００６７】
まず、第I期７について前記式（１）による演算が自動的にされる。ａは０．００５と算出され、ｂは−０．１と算出され、Ｚは第I期の生育ステージの到達点である抽苔に生育させるために１と手動入力し、期間平均気温Ｔｍは２５℃と算出され、ｎは５日と算出され、Ｙを３０日と手動入力し、前記式（１）により目標日平均気温Ｔｓは２６．５℃と算出されるので、まず３０日間は目標日平均気温２６．５℃に気温制御する。
【００６８】
次に、第II期８について前記式（１）による演算が自動的にされる。ａは０．００３と算出され、ｂは−０．０５と算出され、Ｚは第II期の生育ステージの到達点である発蕾に生育させるために１と手動入力し、ｎは０日と算出され、Ｙを２０日と入力し、前記式（１）により目標日平均気温Ｔｓは３３．３℃と算出されるので、第II期は、２０日間は目標日平均気温３３．３℃で気温制御する。
【００６９】
次に、第III期９について前記式（１）による演算が自動的にされる。ａは０．００２５と算出され、ｂは−０．０２５と算出され、Ｚは所望の生育指数の０．４を手動入力し、ｎは０日と算出され、Ｙを２０日と入力し、前記式（１）により目標日平均気温Ｔｓは３０℃と算出されるので、第III期９は、２０日間は目標日平均気温３０℃で気温制御する。前記３０℃は生育が抑制される温度の３２℃以下であるので生育日数の修正を行わなくてよい。これにより、所望した日の数日以内に所望された目標生育ステージの目標生育指数の状態に選択した草本植物を生育させる制御をすることができる。
【００７０】
また、草本植物生育制御方法２は、草本植物の育苗開始から開花までを１つの生育ステージとすることもできる。この場合は、所望する日の近傍以内に所望の生育をさせる制御をする場合に適する。
【００７１】
また、草本植物生育制御プログラムは、段落［００５６］又は［００５７］の草本植物の生育制御方法２をコンピュータに実行させることができる。
【００７２】
さらに、前記生育制御プログラムは、コンピュータに、草本植物の生育ステージごとの有効積算温度と有効下限温度を手動入力により取得し記憶する第一生育情報記憶ステップと、育苗開始からの、気温測定手段からの日々の気温情報、及び、手動入力による育苗開始日を含む生育ステージ間の変化日情報を取得し記憶する第二生育情報記憶ステップと、制御開始日情報、前記制御開始日から所望する生育状態に該当する生育ステージまでの、各生育ステージにおける所望する生育指数、及び、各生育ステージの所望生育期間を手動入力により取得する所望情報取得ステップ１２と、１を各生育ステージの有効積算温度で除算した値を算出し、減算記号に当該生育ステージの有効下限温度を有効積算温度で除算した値を算出し、育苗開始日を含む各変化日情報及び制御開始日情報から各生育ステージにおける制御開始日の前日までの生育日数を算出し、各生育ステージにおける制御開始日の前日までの期間平均気温を算出して、段落［００５０］に記載の前記式（１）により各生育ステージの目標日平均気温を算出する算出ステップ１３と、生育ステージ順に前記所望生育期間を算出された前記目標日平均気温とするように気温調整手段の気温制御をする気温制御ステップ１４と、を実行させる。
【００７３】
そして、コンピュータ読み取り可能な記憶媒体は、前記プログラムを記憶する。
【００７４】
以下に本発明の実施例を記載するが、本発明は以下の実施例に限定されるものではない。
【実施例１】
【００７５】
トルコギキョウの品種のレイナホワイトを対象に、図１や図４に示す装置で実施した。有効下限温度及び有効積算温度は前記表６に記載と同じである。
第II期開始日である２０１７年１１月２日に、所望日を１１０日後とし、所望生育レベルを第II期終了レベル（生育指数１）とした。第II期のａは０．００２８と算出され、ｂは−０．０３８６と算出された。また、現在が第II期の開始日であるので第II期における生育日数ｎ日は０日とカウントされ、期間平均気温Ｔｍのデータは無とカウントされている。前記データが算出され、下記式（６）により目標日平均気温が１７．２℃と算出された。
Ｔｓ＝１／０．００２８（（１−（０．００２８×０−０．０３８６）×０）／１１０＋０．０３８６）・・・・（６）
そこで、１１０日間の目標日平均気温が１７．２℃となるように気温制御された。その結果、２０１８年２月２１日の１１１日目に第II期が終了した。よって、所望の日の数日以内に所望の生育レベルにすることができた。
【符号の説明】
【００７６】
１      生育制御システム
２      生育制御方法
３      育苗開始
４      抽苔
５      発蕾
６      開花
７      第I期
８      第II期
９      第III期
１０    全期
１１    生育情報記憶ステップ
１２    所望情報取得ステップ
１３    算出ステップ
１４    気温制御ステップ
２０    草本植物
２１    記憶手段
２２    制御手段
２３    ネットワーク
２４    気温測定手段
２５    温室
２６    気温調整手段
３１    播種・育苗開始又は腋芽発生
３２    発蕾
３３    開花
３４    果実収穫
４０    有効下限温度
５１    高温環境
５２    中温環境
５３    低温環境
５４    なりゆき環境
【図１】
2019176766.tif 000016
【図２】
2019176766.tif 000017
【図３】
2019176766.tif 000018
【図４】
2019176766.tif 000019
【図５】
2019176766.tif 000020
【図６】
2019176766.tif 000021
【図７】
2019176766.tif 000022
【図８】
2019176766.tif 000023
【図９】
2019176766.tif 000024